(57)【特許請求の範囲】
【請求項１】
搭載される各種部品を外部環境から保護する直方体状のケースと、該ケースを加飾するために同ケースの外周面に固定される加飾部材とを備え、特定の通信対象との間で無線通信を行う携帯機であって、
前記加飾部材は、前記ケースの一辺を構成する部分に沿って延設される板状の部材からなり、その延設方向の一方の端部に前記ケースと当接する面からその反対側の面に貫通する貫通孔を有するとともに、その延設方向の他方の端部に鈎状の凸部を有し、
同加飾部材が、２つを一組として、前記ケースの厚さ方向の互いに反対側に位置する２つの面に同ケースを挟んで互いに対向する位置にそれぞれ配設され、
前記ケースは、前記一組の加飾部材のそれぞれの凸部が嵌合する鈎状の凹部を有するとともに、前記一組の加飾部材のそれぞれの貫通孔から挿入される一組の雄ねじが共に螺入される雌ねじの螺刻された雌ねじ部材を有し、
前記一組の雄ねじが前記雌ねじ部材を共有して同雌ねじ部材の雌ねじ孔にそれぞれ螺入されることにより前記ケースに前記一組の加飾部材が締結固定される
ことを特徴とする携帯機。
【発明の詳細な説明】
【技術分野】
【０００１】
本発明は、例えば車両や住宅などに用いられる無線通信システムにあってこれら車両や住宅などの通信対象との間で無線通信を行う携帯機に関する。
【背景技術】
【０００２】
こうした無線通信システムの一つとして、ユーザが携帯機（電子キー）を所持した状態で車両ドアに接近することにより車両ドアのアンロックが自動的に実行されるとともに、ユーザが車室内に入ることによりエンジンの始動等が許可される、いわゆる車両の電子キーシステムが周知である。図７に、こうした電子キーシステムの概要を示す。
【０００３】
同図７に示されるように、この電子キーシステムでは、例えば車両ドアに設けられた送信装置１０１から車両ドアの周辺に設定された通信可能エリアＡにリクエスト信号を送信する。またこの電子キーシステムでは、この送信装置１０１から送信されるリクエスト信号を受信するとともに、この受信したリクエスト信号に対して識別コード（ＩＤコード）等の情報を含む応答信号を送信する携帯機２００をユーザが所持する。すなわち、携帯機２００を所持したユーザが通信可能エリアＡ内に進入することによって、同携帯機２００から応答信号が送信される。そしてこのシステムにおいて、携帯機２００から送信される応答信号は車室内に設けられた受信装置１０２により受信されて、車両にかかる各種制御を実行する車両側制御装置１０３に伝達される。同制御装置１０３では、この受信された応答信号に含まれる携帯機２００のＩＤコードと同制御装置１０３内のメモリ等に予め記憶されているＩＤコードとの照合を行い、この照合を通じて、例えば車両ドアに設けられているドアロック機構１０４のアンロックを実行する。このような電子キーシステムによれば、ユーザの直接的な手動操作によることなく車両の各種操作が自動的に行われるようになるため、車両の操作にかかる利便性が大きく向上するようになる。
【０００４】
そして従来、こうした電子キーシステムに用いられる携帯機としては、例えば特許文献１に記載の携帯機が知られている。この特許文献１に記載の携帯機も含め、車両の電子キーシステムに用いられる携帯機は通常、上記車両との間の無線通信を行うために必要な各種電子部品、例えばアンテナ等の設けられる回路基板の外周をケースにより覆うことで同回路基板を外部環境から保護する構造を有している。
【特許文献１】特開２００２−３３９６０５号公報
【発明の開示】
【発明が解決しようとする課題】
【０００５】
ところで、こうした携帯機にあっては、ユーザに好んで所持してもらうために高い意匠性を有することが望まれる傾向にある。ここで、携帯機に高い意匠性を持たせる方法としては、例えば金属メッキされた加飾部材を携帯機のケースの外周面に取り付ける、いわゆる金属加飾等を施すことによって携帯機に高級感を持たせるといった方法がある。
【０００６】
一方、こうした加飾部材を携帯機のケースに取り付ける方法としては、例えば適宜の接着剤により接着するといった方法や、ねじ等の締結部材により締結するといった方法等、種々の固定方法が考えられる。ただし、加飾部材を携帯機のケースに取り付ける方法として接着剤により接着する方法を採用するようにした場合には、加飾部材を携帯機のケースに固定する際に位置ずれが生じ易いため、ケースの所定の取り付け位置に加飾部材を正確に取り付けようとすると、その作業が煩雑となるおそれがある。一方、加飾部材を携帯機のケースに取り付ける方法としてねじ等の締結部材により締結する方法を採用するようにした場合には、加飾部材のねじの挿入される穴の位置と、携帯機のねじの挿入される穴の位置とを合わせて、この状態を保持した状態でねじを挿入し締め付ける必要がある。したがって、加飾部材のねじの挿入される穴の位置と、携帯機のねじの挿入される穴の位置とを正確に合わせる作業が必要となるため、上記接着剤により接着する方法と同様、加飾部材をケースに取り付ける作業が煩雑となるおそれがある。
【０００７】
なお、このような課題は、車両の電子キーシステムに用いられる携帯機に限らず、例えば住宅の居住者が携帯機を所持した状態で玄関ドアに接近したときに玄関ドアのアンロックを自動的に実行する住宅の電子キーシステムなど、各種の無線通信システムに用いられる携帯機にも同様に発生し得る。
【０００８】
本発明は、こうした実情に鑑みてなされたものであり、その目的は、意匠性を高めるためにケースに加飾を施す場合であれ、加飾部材をケースの所定の位置に容易に固定することのできる携帯機を提供することにある。
【課題を解決するための手段】
【０００９】
上記課題を解決するために、請求項１に記載の発明は、搭載される各種部品を外部環境から保護する直方体状のケースと、該ケースを加飾するために同ケースの外周面に固定される加飾部材とを備え、特定の通信対象との間で無線通信を行う携帯機であって、前記加飾部材は、前記ケースの一辺を構成する部分に沿って延設される板状の部材からなり、その延設方向の一方の端部に前記ケースと当接する面からその反対側の面に貫通する貫通孔を有するとともに、その延設方向の他方の端部に鈎状の凸部を有し、同加飾部材が、２つを一組として、前記ケースの厚さ方向の互いに反対側に位置する２つの面に同ケースを挟んで互いに対向する位置にそれぞれ配設され、前記ケースは、前記一組の加飾部材のそれぞれの凸部が嵌合する鈎状の凹部を有するとともに、前記一組の加飾部材のそれぞれの貫通孔から挿入される一組の雄ねじが共に螺入される雌ねじの螺刻された雌ねじ部材を有し、前記一組の雄ねじが前記雌ねじ部材を共有して同雌ねじ部材の雌ねじ孔にそれぞれ螺入されることにより前記ケースに前記一組の加飾部材が締結固定されることを要旨としている。
【００１０】
同構成によれば、ケースの外周面に加飾部材を取り付ける際に、ケースの凹部に加飾部材の凸部を嵌合させることで、加飾部材をケースの外周面の所定の位置に位置決めすることができるようになる。したがって、このように加飾部材を所定の位置に位置決めした後にこれをケースに固定するようにすれば、加飾部材をケースの外周面の所定の位置に容易に固定することができるようになる。
【００１１】
また、加飾部材の凸部をケースの凹部に嵌合した際に、これらが引っ掛かるかたちで嵌合するようになるため、加飾部材の位置が所定の位置に位置決めされた状態を保持することができるようになる。このため、加飾部材をケースの外周面の所定の位置に、より容易に固定することができるようになる。
【００１３】
さらに、ケースの外周面に加飾部材を固定する構造によって加飾部材の一方の端部が固定されるとともに、上記鈎状の凸部と同じく鈎状の凹部とからなる凹凸嵌合構造によって加飾部材の他方の端部が固定されるようになる。すなわち、これらの構造によって加飾部材の両端部が固定されるようになるため、加飾部材をケースに固定する効果を十分に確保することができるようになる。
【００１５】
一方、加飾部材の設けられる携帯機にあっては、ユーザが自身の好みに応じて加飾部材を取り替えることが考えられるため、加飾部材をケースに脱着可能に固定することが望ましい。また、こうした加飾部材の取り替えが繰り返し行われた場合であってもケースに加飾部材を確実に固定することができるように、加飾部材をケースに固定する構造が十分な耐久性を有している必要がある。この点、上記構成によるように、こうした加飾部材をケースに固定する構造を、雄ねじ及び雌ねじ部材といった締結構造により構成するようにすれば、加飾部材をケースに脱着可能に固定することができるようになるとともに、十分な耐久性を得ることもできるようになる。
【００１７】
ところで、加飾部材をケースに固定する構造を、雄ねじ及び雌ねじ部材といった締結構造により構成することで、加飾部材をケースに脱着可能に固定することができるようになるとともに、十分な耐久性を得ることも確かにできるようにはなる。ただし、携帯機に取り付ける加飾部材の大きさや数量等に応じて加飾部材を固定するために必要な締結構造の数が異なるため、例えば必要な締結構造の数が多くなると携帯機に設けられる雄ねじや雌ねじ部材の数も多くなることから、携帯機としての部品点数が増加し、ひいては携帯機の大型化を招くおそれがある。この点、上記構成によるように、ケースの厚さ方向の互いに反対側に位置する面に一組の加飾部材をそれぞれ配設するとともに、これら一組の加飾部材をケースにそれぞれ締結するための一組の雄ねじを、一つの雌ねじ部材の雌ねじ孔にそれぞれ反対側から螺入するようにすれば、一組の雄ねじに対してそれぞれ雌ねじ部材を用意する場合、すなわち２つの雌ねじ部材を用意する場合と比較して、一つの雌ねじ部材を割愛することができるようになる。このため、加飾部材をケースに固定する構造として上述のような雄ねじと雌ねじ部材とからなる締結構造を採用しつつも、携帯機としての部品点数の増加を最小限に抑えることができ、ひいては携帯機の大型化を回避することができるようになる。
【発明の効果】
【００１８】
本発明にかかる携帯機によれば、意匠性を高めるためにケースに加飾を施す場合であれ、加飾部材をケースの所定の位置に容易に固定することができるようになる。
【発明を実施するための最良の形態】
【００１９】
以下、本発明にかかる携帯機を具体化した一実施形態について図１〜図６を参照して説明する。なお、本実施形態にかかる携帯機は、前述の車両の電子キーシステムに用いられる携帯機である。ここで、図１は、本実施形態にかかる携帯機の斜視構造を示したものであり、はじめに、同図１を参照して、本実施形態にかかる携帯機の全体構造について説明する。
【００２０】
同図１に示されるように、この携帯機は、基本的には、上述のリクエスト信号の受信や応答信号の送信のために使用されるアンテナ等が設けられる回路基板（図示略）をケース１０によって保護するとともに、このケース１０の左側部にメカニカルキー２０を収容する構造を有している。ここで、このメカニカルキー２０は、キー溝の形成される板状のキープレート２１と、このキープレート２１の一端に取り付けられてユーザの把持する部分となるグリップ部２２とから構成されている。一方、ケース１０は直方体状をなすとともに、ケース１０の正面部の両側辺、及び背面部の両側辺には、板状の加飾部材３０ａ，４０ａ，３０ｂ，４０ｂがそれぞれ延設されており、これら加飾部材３０ａ，４０ａ，３０ｂ，４０ｂの下端部が雄ねじ５０によってケース１０にそれぞれ締結固定されている。ちなみに、ケース１０は、例えばポリブチレンテレフタレート（ＰＢＴ）等の合成樹脂材料により形成されるとともに、加飾部材３０ａ，３０ｂ，４０ａ，４０ｂ及び雄ねじ５０は、例えばアルミニウムや鉄などの金属材料により形成されている。また、このケース１０の左上方の角部には、断面矩形状の切り欠き部１２が形成されるとともに、この切り欠き部１２の正面部及び背面部が、上記加飾部材３０ａ，３０ｂの上側の部分によりそれぞれ塞がれている。そして、この携帯機では、これら切り欠き部１２、及び加飾部材３０ａ，３０ｂの上側の部分により囲まれる空間によって、上記メカニカルキー２０のグリップ部２２を収容するための空間が形成されている。一方、ケース１０の左側部には、切り欠き部１２に開口部を有して図中の下方に延伸するかたちで挿入孔１３が形成されており、この挿入孔１３によって上記メカニカルキー２０のキープレート２１を収容するための空間が形成されている。ちなみに、このケース１０の正面部の中央よりもやや下側の部分には、例えば車両ドアをロック／アンロックしたい等の意思に基づきユーザによって押圧操作される操作ボタン１１が設けられている。そして、この携帯機は、ユーザによる操作ボタン１１の押圧操作に基づいてロック信号、あるいはアンロック信号を車両に送信し、上述の車両側制御装置は、受信したロック信号、あるいはアンロック信号に基づいて車両ドアのロック／アンロックを実行する。
【００２１】
続いて、図２（ａ）〜（ｃ）を参照して、ケース１０の構造について詳細に説明する。ここで、図２（ａ）は、ケース１０の正面構造を、また、図２（ｂ）は、図２（ａ）のＡ−Ａ線に沿った断面構造を、さらに、図２（ｃ）は、図２（ａ）のＢ−Ｂ線に沿った断面構造をそれぞれ示したものである。
【００２２】
これら図２（ａ）〜（ｃ）に示されるように、ケース１０の正面部の両側部には、上記加飾部材３０ａ，４０ａの板厚の分だけ段差の形成された段差部１４ａ，１７ａが、また、ケース１０の背面部の両側部には、上記加飾部材３０ｂ，４０ｂの板厚の分だけ段差の形成された段差部１４ｂ，１７ｂがそれぞれ設けられている。そして、このケース１０では、これら段差部１４ａ，１４ｂ，１７ａ，１７ｂに加飾部材３０ａ，３０ｂ，４０ａ，４０ｂが当接するかたちでそれぞれ取り付けられ、ケース１０に加飾部材３０ａ，３０ｂ，４０ａ，４０ｂを取り付けた際に、これらをケース１０に段差なく取り付けることができる。一方、図２（ａ），（ｂ）に示されるように、段差部１４ａの上端部には、この段差部１４ａに開口端を有するとともに上側の部分が開口するかたちでケース１０の厚さ方向に延設される溝と、この溝の開口端と反対側の端部の底面から図中の下方に延設される溝とから構成される鈎状の凹部１５ａが形成されている。また、この段差部１４ｂの上端部にも、この凹部１５ａと同様の鈎状の凹部１５ｂが、また、図２（ｃ）に併せ示すように、段差部１７ａ，１７ｂの上端部にも、凹部１５ａと同様の鈎状の凹部１８ａ，１８ｂがそれぞれ形成されている。また一方、段差部１４ａの下側の部分には、段差部１４ｂに貫通する貫通孔１６が形成されるとともに、段差部１７ａの下側の部分には、段差部１７ｂに貫通する貫通孔１９が形成されている。そして、これら貫通孔１６，１９の中央の部分に位置するかたちで雌ねじ部材６１，６２がそれぞれ鋳込まれている。ちなみに、この雌ねじ部材６１，６２も、例えばアルミニウムや鉄などの金属材料により形成されるとともに、その中央部には、貫通孔１６，１９に連通するかたちで雌ねじ孔６１ａ，６２ａがそれぞれ螺刻されている。そして、このケース１０では、これら凹部１５ａ，１５ｂ，１８ａ，１８ｂに加飾部材３０ａ，３０ｂ，４０ａ，４０ｂの一部がそれぞれ嵌合するとともに、上記雄ねじ５０が貫通孔１６，１９に挿入されて雌ねじ部材６１，６２の雌ねじ孔６１ａ，６２ａにそれぞれ螺入される。
【００２３】
次に、図３（ａ），（ｂ）、及び図４（ａ），（ｂ）を参照して、加飾部材３０ａ，３０ｂ，４０ａ，４０ｂの構造について詳細に説明する。なお、加飾部材３０ａ及び加飾部材３０ｂは互いに鏡像対称となる形状をそれぞれ有するとともに、加飾部材４０ａ及び加飾部材４０ｂも互いに鏡像対称となる形状をそれぞれ有している。そこで、ここでは加飾部材３０ａ及び加飾部材４０ａの構造についてのみ説明し、加飾部材３０ｂ及び加飾部材４０ｂの構造についてはこれらと鏡像対称となる形状を有しているものとして割愛する。
【００２４】
はじめに、図３（ａ），（ｂ）を参照して、加飾部材３０ａの構造について詳細に説明する。ここで、図３（ａ）は、加飾部材３０ａの正面構造を、また、図３（ｂ）は、同図３（ａ）のＣ−Ｃ線に沿った断面構造をそれぞれ示したものである。
【００２５】
同図３（ａ），（ｂ）に示されるように、加飾部材３０ａは、基本的には、図中の上下方向に延びるかたちにて板状に形成されており、その正面部の上側の部分に、下側の部分や中央の部分よりも板厚の厚く形成された段差部３３が設けられている。そして、この加飾部材３０ａでは、この段差部３３がケース１０の切り欠き部１２の正面部を塞ぐ部分となるとともに、加飾部材３０ａの正面部の段差部３３を除く部分が上記ケース１０の段差部１４ａに当接する部分となる。また、この段差部３３の下端部に形成される段差面３３ａには、上記ケース１０の凹部１８ａの形状と同様の形状、すなわち鈎状に形成された凸部３１が設けられており、この加飾部材３０ａでは、この凸部３１が、上記ケース１０の凹部１８ａに嵌合する部分となる。さらに、この加飾部材３０ａの下端部には、上記ケース１０の貫通孔１６の位置に対応して、上記雄ねじ５０を挿入するための貫通孔３２が形成されている。ちなみに、この貫通孔３２の加飾部材３０ａの背面部側の開口端部には、上記雄ねじ５０の頭の部分の外径の大きさに対応した内径を有する大径部３２ａが形成されており、この加飾部材３０ａでは、雄ねじ５０が貫通孔３２に挿入された際に、雄ねじ５０の頭の部分がこの貫通孔３２の大径部３２ａに収容される。
【００２６】
次に、図４（ａ），（ｂ）を参照して、加飾部材４０ａの構造について詳細に説明する。ここで、図４（ａ）は、加飾部材４０ａの正面構造を、また、図４（ｂ）は、同図４（ａ）のＤ−Ｄ線に沿った断面構造をそれぞれ示したものである。
【００２７】
同図４（ａ），（ｂ）に示されるように、加飾部材４０ａも、基本的には、図中の上下方向に延びるかたちにて板状に形成されており、その正面部の上端部に、上記加飾部材３０ａの凸部３１と同様の形状、すなわち鈎状に形成された凸部４１が設けられている。そして、この加飾部材４０ａでは、この凸部４１が、上記ケース１０の凹部１８ａに嵌合する部分となる。また、加飾部材４０ａの下端部にも、上記ケース１０の貫通孔１９の位置に対応して、上記雄ねじ５０を挿入するための貫通孔４２が形成されている。ちなみに、この貫通孔４２の加飾部材４０ａの背面部側の開口端部にも、上記雄ねじ５０の頭の部分の外径の大きさに対応した内径を有する大径部４２ａが形成されており、この加飾部材４０ａでも、雄ねじ５０が貫通孔４２に挿入された際に、雄ねじ５０の頭の部分がこの貫通孔４２の大径部４２ａに収容される。
【００２８】
次に、図５（ａ）〜（ｄ）を参照して、こうした加飾部材３０ａ，３０ｂ，４０ａ，４０ｂの上記ケース１０への取り付け方法について詳細に説明する。なお、これら加飾部材３０ａ，３０ｂ，４０ａ，４０ｂの上記ケース１０への取り付け方法についてはそれぞれほぼ同様であるため、ここでは加飾部材３０ａの取り付け方法についてのみ説明し、加飾部材３０ｂ，４０ａ，４０ｂについてはこれと同様のものとして割愛する。
【００２９】
加飾部材３０ａをケース１０に取り付けるにあたっては、まず、図５（ａ）に示すように、その準備として加飾部材３０ａの凸部３１を、ケース１０の上方から凹部１５ａに嵌合する。これにより、図５（ｂ）に示すように、加飾部材３０ａの貫通孔３２の中心軸とケース１０の貫通孔１６の中心軸とが互いに一致する位置に加飾部材３０ａが位置決めされるとともに、加飾部材３０ａの凸部３１がケース１０の凹部１５ａに引っ掛かるかたちで嵌合することで加飾部材３０ａの位置が図中に示す位置に保持される。したがって、雄ねじ５０を加飾部材３０ａの貫通孔３２の側からケース１０の貫通孔１６に容易に挿入することができるようになる。そして、図５（ｃ）に示すように、この雄ねじ５０をケース１０の雌ねじ部材６１の雌ねじ孔６１ａに螺入することで、加飾部材３０ａがケース１０の段差部１４ａに固定される。同様に、図５（ｄ）に示すように、雄ねじ５０を加飾部材３０ｂの挿入孔３４の側からケース１０の貫通孔１６に挿入して雌ねじ部材６１の雌ねじ孔６１ａに反対側から螺入することで、加飾部材３０ｂがケース１０の段差部１４ｂに固定される。
【００３０】
携帯機としてのこうした構成によれば、ケース１０の段差部１４ａに加飾部材３０ａを取り付ける際に、加飾部材３０ａの凸部３１とケース１０の凹部１５ａとからなる凹凸嵌合構造により、加飾部材３０ａの貫通孔３２の中心軸とケース１０の貫通孔１６の中心軸とが互いに一致する位置に加飾部材３０ａを位置決めすることができる。これにより、雄ねじ５０の貫通孔１６への挿入、さらに雌ねじ部材６１の雌ねじ孔６１ａへの螺入が容易となるため、加飾部材３０ａをケース１０に容易に取り付けることが可能となる。また、加飾部材３０ｂ及びケース１０の段差部１４ｂにも同様の凹凸嵌合構造が設けられていることから、加飾部材３０ｂについても、同様に、ケース１０に容易に取り付けることが可能となる。また、加飾部材３０ａ，３０ｂをケース１０の段差部１４ａに固定するための構造としてこうした凹凸嵌合構造を採用することで、例えば図６に示すように加飾部材３０ａ，３０ｂの上側の部分を雄ねじ７０と雌ねじ部材７１とからなる締結構造により締結固定するようにした携帯機と比較して、雄ねじ７０や雌ねじ部材７１のような部材を省略することができる。このため、携帯機としての部品点数の増加を回避することも可能となる。また、本実施形態にかかる携帯機のように、挿入孔１３のようなメカニカルキー２０を収容するための空間が形成されているために雌ねじ部材７１のような部材を設けるためのスペースを確保し難い携帯機であっても、加飾部材３０ａ，３０ｂを固定することが可能となる。ところで、図６に示すように加飾部材３０ａ，３０ｂの上側の部分を雄ねじ７０及び雌ねじ部材７１とからなる締結構造により固定するようにした携帯機にあっては、金属材料からなる雌ねじ部材６１，７１及び雄ねじ５０，７０を介して、同じく金属材料からなる加飾部材３０ａと加飾部材３０ｂとが互いに電気的に接続されるようになる。すなわち、携帯機に図中の一点鎖線で示すような金属体のループ形状が形成されるようになる。ここで、こうした金属体のループ形状の形成される部分に、例えば上述の車両側から送信されるリクエスト信号のような電波が進入しようとすると、この電波の進入を妨げる態様にて金属体のループ形状の形成される部分に誘導電流が生じる。このため、リクエスト信号がこの金属体のループ形状の形成される部分で遮蔽されてしまい、携帯機としてのリクエスト信号の受信感度が低下するおそれがある。この点、本実施形態にかかる携帯機にあっては、先の図５（ｄ）に示されるように、凹凸嵌合構造の設けられる部分では、加飾部材３０ａと加飾部材３０ｂとが電気的に接続されることがないため、こうした金属体のループ形状が形成されることを回避することができる。このため、携帯機に加飾部材３０ａ，３０ｂを固定するための構造を設けつつ、携帯機のリクエスト信号の受信感度をそのまま維持することができる。なお、この携帯機では、加飾部材４０ａについては同加飾部材４０ａの凸部４１とケース１０の凹部１８ａとからなる凹凸嵌合構造が、また、加飾部材４０ｂについてもこれと同様の凹凸嵌合構造がそれぞれ設けられている。このため、これら加飾部材４０ａ，４０ｂについても、同様に、これらをケース１０に容易に取り付けることができること、等々の効果が奏されることは言うまでもない。
【００３１】
以上説明したように、本実施形態にかかる携帯機によれば、以下のような効果が得られるようになる。
（１）加飾部材３０ａに鈎状の凸部３１を設けるとともに、この凸部３１の嵌合する同じく鈎状の凹部１５ａをケース１０に設け、これらの凸部３１と凹部１５ａとにより凹凸嵌合構造を設けるようにした。これにより、ケース１０に加飾部材３０ａを取り付ける際に、ケース１０の凹部１５ａに加飾部材３０ａの凸部３１を嵌合させることで、加飾部材３０ａの雄ねじ５０の挿入される貫通孔３２の中心軸と、ケース１０の雄ねじ５０の挿入される貫通孔１６の中心軸とが一致する位置に加飾部材３０ａを位置決めすることができるようになる。また、加飾部材３０ａの凸部３１とケース１０の凹部１５ａとが引っ掛かるかたちで嵌合するため、加飾部材３０ａが位置決めされた状態を保持することもできるようになる。したがって、雄ねじ５０の貫通孔１６への挿入、さらに雌ねじ部材６１の雌ねじ孔６１ａへの螺入が容易となるため、加飾部材３０ａをケース１０の段差部１４ａに容易に固定することができるようになる。また、加飾部材３０ｂ、並びに加飾部材４０ａ，４０ｂについても、同様に、これらをケース１０の段差部１４ｂ、並びに段差部１７ａ，１７ｂに容易に固定することができる。
【００３２】
（２）加飾部材３０ａの下端部を、雄ねじ５０と雌ねじ部材６１とからなる締結構造により締結固定するとともに、加飾部材３０ａの上側の部分を、加飾部材３０ａの凸部３１とケース１０の凹部１５ａとからなる凹凸嵌合構造により固定するようにした。これにより、加飾部材３０ａの両端部が固定されるようになるため、加飾部材３０ａをケース１０の段差部１４ａに固定する効果を十分に得ることができるようになる。また、加飾部材３０ｂ、並びに加飾部材４０ａ，４０ｂについても、同様に、これらをケース１０の段差部１４ａ、並び段差部１７ａ，１７ｂに固定する効果を十分に得ることができる。
【００３３】
（３）加飾部材３０ａをケース１０の段差部１４ａに固定する構造を、雄ねじ５０と雌ねじ部材６１とからなる締結構造として構成するようにした。これにより、当該携帯機を所持するユーザが自身の好みに応じて加飾部材３０ａを取り替えることができるようになる。また、これら雄ねじ５０と雌ねじ部材６１とをそれぞれ金属材料により形成するようにした。これにより、ユーザによる加飾部材３０ａの取り替えが繰り返し行われたとしても、雄ねじ５０と雌ねじ部材７１とが破損し難く、加飾部材３０ａを段差部１４ａに固定することのできる十分な耐久性を得ることもできるようになる。さらに、加飾部材３０ｂ、並びに加飾部材４０ａ，４０ｂについても、同様に、ユーザが自身の好みに応じてこれらを取り替えることができるようになる。また、ユーザによる加飾部材３０ｂ、並びに加飾部材４０ａ，４０ｂの取り替えが繰り返し行われたとしても、これらをケース１０の段差部１４ｂ、並びに段差部１７ａ，１７ｂに固定することのできる十分な耐久性を得ることができる。
【００３４】
（４）ケース１０の段差部１４ａ，１４ｂに一組の加飾部材３０ａ，３０ｂをケース１０を挟んで互いに対向する位置にそれぞれ配設するようにした。そして、一組の加飾部材３０ａ，３０ｂを段差部１４ａ，１４ｂに締結するための一組の雄ねじ５０を、一つの雌ねじ部材６１を共有するかたちで、同雌ねじ部材６１の雌ねじ孔６１ａにそれぞれ反対側から螺入するようにした。これにより、一組の雄ねじ５０に対してそれぞれ雌ねじ部材を用意する場合、すなわち２つの雌ねじ部材を用意する場合と比較して、一つの雌ねじ部材を割愛することができるようになる。また、加飾部材４０ａ，４０ｂについても、同様に、一つの雌ねじ部材を割愛することができる。したがって、加飾部材３０ａ，３０ｂ，４０ａ，４０ｂをケース１０の段差部１４ａ，１４ｂ，１７ａ，１７ｂに固定する構造として雄ねじと雌ねじ部材とからなる締結構造を採用しつつも、携帯機としての部品点数の増加を最小限に抑えることができ、ひいては携帯機の大型化を回避することができるようになる。
【００３５】
なお、上記実施形態は、これを適宜変更した以下の形態にて実施することもできる。
・上記実施形態では、ケース１０の段差部１４ａ，１４ｂに一組の加飾部材３０ａ，３０ｂをケース１０を挟んで互いに対向する位置に、また、ケース１０の段差部１７ａ，１７ｂに一組の加飾部材４０ａ，４０ｂをケース１０を挟んで互いに対向する位置にそれぞれ配設するようにした。これに代えて、例えばこれら一組の加飾部材４０ａ，４０ｂを省略して、ケース１０の段差部１４ａ，１４ｂに一組の加飾部材３０ａ，３０ｂのみを設けるようにしてもよい。また、例えばケース１０の段差部１４ａ，１７ａに上記加飾部材３０ａ，４０ａのみを設けるようにしてもよい。
【００３６】
・上記実施形態では、加飾部材３０ａ，３０ｂ，４０ａ，４０ｂ、雄ねじ５０、及び雌ねじ部材６１，６２を、例えばアルミニウムや鉄などの金属材料により形成するようにしたが、これに代えて、例えばケース１０と同様のポリブチレンテレフタレート等の合成樹脂材料により形成するようにしてもよい。また、例えば加飾部材３０ａ，３０ｂ，４０ａ，４０ｂのみを、合成樹脂材料により形成するようにしてもよい。これにより、携帯機の軽量化を図ることができるようになる。
【００３７】
・上記実施形態では、ケース１０の貫通孔１６，１９の部分に、雌ねじ孔６１ａ，６２ａの螺刻された雌ねじ部材６１，６２をそれぞれ鋳込むようにしたが、これに代えて、例えば貫通孔１６，１９に直接雌ねじ孔を螺刻するようにしてもよい。
【００３８】
・上記実施形態では、雄ねじ５０と雌ねじ部材６１，６２とからなる締結構造によって加飾部材３０ａ，３０ｂ，４０ａ，４０ｂをケース１０に固定するようにしたが、これに代えて、例えば適宜の接着剤により固定するようにしてもよい。また、例えば雄ねじ５０と雌ねじ部材６１，６２とからなる締結構造に加えてさらに接着剤により固定するようにしてもよい。
【００３９】
・上記実施形態では、雄ねじ５０と雌ねじ部材６１とからなる締結構造、及び加飾部材３０ａの凸部３１とケース１０の凹部１５ａとからなる凹凸嵌合構造により加飾部材３０ａの両端部をケース１０に固定するようにしたが、例えば加飾部材３０ａの中央部分に締結構造をさらに設け、加飾部材３０ａを３箇所で固定するようにしてもよい。また、上記雄ねじ５０と雌ねじ部材６１とからなる締結構造に代えて凹凸嵌合構造を設け、加飾部材３０ａの両端部を凹凸嵌合構造により固定するようにしてもよい。
【００４０】
・上記実施形態では、ケース１０を直方体状に形成するようにしたが、例えば立方体状や断面５角形状などの断面多角形状、あるいは断面円形状、等々の適宜の形状に形成することが可能である。
【００４１】
・上記実施形態では、加飾部材３０ａの凸部３１及びケース１０の凹部１５ａをそれぞれ鈎状に形成するようにしたが、これに代えて、例えば円柱状に形成するようにしてもよい。要は、加飾部材が、ケースと当接する面に凸部を有するとともに、ケースが、加飾部材と当接する面に凸部に対応する形状からなる凹部を有し、これら加飾部材の凸部とケースの凹部とにより凹凸嵌合構造が形成されていればよい。なお、加飾部材３０ａの凸部３１及びケース１０の凹部１５ａを円柱状にそれぞれ形成するようにした場合には、加飾部材３０ａをケース１０に固定した状態を保持することが難しくなるため、例えば上記変形例のように、新たに締結構造を設けたり、あるいは接着剤を用いるなどして加飾部材をケースに固定することが望ましい。
【００４２】
・上記実施形態では、本発明にかかる携帯機を車両の電子キーシステムに使用される携帯機に適用する場合について例示したが、例えば住宅の電子キーシステムに使用される携帯機に適用するようにしてもよい。要は、搭載される各種部品を外部環境から保護するケースと、このケースを加飾するためにその外周面に固定される加飾部材とを備え、特定の通信対象との間で無線通信を行う携帯機であればよい。
（付記）
次に、上記実施形態及びその変形例から把握できる技術的思想について追記する。
【００４３】
（イ）請求項１に記載の携帯機において、当該携帯機が、車両に設けられた通信装置との間の無線通信を通じて車両ドアの施解錠を行う車両の電子キーシステムに使用されるものである携帯機。具体的には、請求項１に記載の携帯機を、車両の電子キーシステムに使用される携帯機に適用することができる。
【図面の簡単な説明】
【００４４】
【図１】本発明にかかる携帯機の一実施形態についてその斜視構造を示す斜視図。
【図２】（ａ）〜（ｃ）は、同実施形態の携帯機のケースについてその正面構造、左側部の断面構造、及び右側部の断面構造をそれぞれ示す正面図及び断面図。
【図３】（ａ），（ｂ）は、同実施形態の携帯機の加飾部材の正面構造及び断面構造をそれぞれ示す正面図及び断面図。
【図４】（ａ），（ｂ）は、同実施形態の携帯機の他の加飾部材の正面構造及び断面構造をそれぞれ示す正面図及び断面図。
【図５】（ａ）〜（ｄ）は、同実施形態の携帯機のケースへの加飾部材の取り付け方法についてその取り付けプロセスを示す断面図。
【図６】加飾部材をケースに固定する構造として雄ねじと雌ねじ部材とからなる締結構造のみを採用するようにした携帯機についてその断面構造を示す断面図。
【図７】従来一般に採用されている電子キーシステムの概要を模式的に示す正面図。
【符号の説明】
【００４５】
１０…ケース、１１…操作ボタン、１２…切り欠き部、１３，１９…挿入孔、１４ａ，１４ｂ，１７ａ，１７ｂ…段差部、１５ａ，１５ｂ，１８ａ，１８ｂ…凹部、１６…貫通孔、２０…メカニカルキー、２１…キープレート、２２…グリップ部、３０ａ，３０ｂ，４０ａ，４０ｂ…加飾部材、３１，４１…凸部、３２，４２…貫通孔、３２ａ，４２ａ…大径部、３３…段差部、３３ａ…段差面、３４…挿入孔、５０，７０…雄ねじ、６１，６２，７１…雌ねじ部材、６１ａ，６２ａ…雌ねじ孔、１０１…送信装置、１０２…受信装置、１０３…車両側制御装置、１０４…ドアロック機構、２００…携帯機。
【図１】
0005149077.tif 000002
【図２】
0005149077.tif 000003
【図３】
0005149077.tif 000004
【図４】
0005149077.tif 000005
【図５】
0005149077.tif 000006
【図６】
0005149077.tif 000007
【図７】
0005149077.tif 000008